【事件の表示】
　特願２０１３−１７２２６３「情報処理装置、情報処理方法及びプログラム」拒絶査定不服審判事件〔平成２７年　３月　２日出願公開、特開２０１５−　４１２６４、請求項の数（６）〕について、次のとおり審決する。
【結　論】
　原査定を取り消す。
　本願の発明は、特許すべきものとする。
【理　由】
第１　手続の経緯
　本願は、平成２５年８月２２日の出願であって、平成２９年１月１６日付けで拒絶理由が通知され、同年３月２４日付けで手続補正がされたが、同年６月２９日付けで拒絶査定がされ、それに対して同年１０月２日に拒絶査定不服の審判請求がされ、同時に手続補正がされ、同年１１月２７日に前置報告がされたものである。
第２　原査定の理由の概要
　原査定（平成２９年６月２９日付け拒絶査定）の概要は次のとおりである。
　本願請求項１−６に係る発明は、以下の引用文献１に記載された発明及び引用文献２記載の技術に基づいて、その発明の属する技術の分野における通常の知識を有する者（以下、「当業者」という。）が容易に発明をすることができたものであるから、特許法第２９条第２項の規定により特許を受けることができない。
　　　　　　　　　　　　　　＜引用文献等一覧＞
１.特開２０１２−２７９４０号公報
２.特開２０１１−１７０７９６号公報
第３　本願発明
　本願の請求項１−６に係る発明（以下、それぞれ「本願発明１」−「本願発明６」という。）は、平成２９年１０月２日付けで手続補正された特許請求の範囲の請求項１−６に記載された事項により特定される発明であり、本願発明１−６は以下のとおりの発明である。
「【請求項１】
　表示部に表示されたファイルを示すオブジェクトに対し、タッチ操作をすることによりその操作が示す処理を行う情報処理装置であって、
　タッチした部分の位置を検出するタッチ検出部と、
　前記タッチ検出部の検出結果からタッチ面積を算出するタッチ面積算出部と、
　前記オブジェクト上において、前記タッチ面積が所定面積以上の第１のタッチと、所定面積未満の第２のタッチとを検出した場合に、コピー操作として判定する操作判定部と、
　前記操作判定部により前記コピー操作と判定されたとき、前記オブジェクト上において検出されたタッチのうち、第１のタッチ又は第２のタッチがオブジェクトの外に移動してタッチアップしたことを検出する検出部と、
　前記検出部により、タッチアップを検出した場合には、前記タッチアップした位置に前記オブジェクトをコピーして表示する処理を実行する操作処理実行部と、
　を備えることを特徴とする情報処理装置。
【請求項２】
　前記操作判定部は、前記タッチ検出部がタッチダウン又はタッチアップを検出したときに、タッチされている部分の位置を検出することを特徴とする請求項１に記載の情報処理装置。
【請求項３】
　前記操作処理実行部は、前記検出部により、タッチアップを検出した場合には、前記オブジェクトのデータを所定のフォルダにコピーすることを特徴とする請求項１又は２に記載の情報処理装置。
【請求項４】
　前記操作判定部は、前記オブジェクト上において、更に前記第１のタッチ又は第２のタッチを検出することで、３つ以上のタッチを検出した場合に、コピー禁止モードとして判定することを特徴とする請求項１から３の何れか一項に記載の情報処理装置。
【請求項５】
　表示部に表示されたファイルを示すオブジェクトに対し、タッチ操作をすることによりその操作が示す処理を行う情報処理方法であって、
　タッチした部分の位置を検出するタッチ検出ステップと、
　前記タッチ検出ステップの検出結果からタッチ面積を算出するタッチ面積算出ステップと、
　前記オブジェクト上において、前記タッチ面積が所定面積以上の第１のタッチと、所定の面積未満の第２のタッチとを検出した場合に、コピー操作として判定する操作判定ステップと、
　前記操作判定ステップにより前記コピー操作と判定されたとき、前記オブジェクト上において検出されたタッチのうち、第１のタッチ又は第２のタッチがオブジェクトの外に移動してタッチアップしたことを検出するタッチアップ検出ステップと、
　前記タッチアップ検出ステップにより、タッチアップを検出した場合には、前記タッチアップした位置に前記オブジェクトをコピーして表示する処理を実行する操作処理実行ステップと、
　を含むことを特徴とする情報処理方法。
【請求項６】
　コンピュータに、請求項５の情報処理方法の各ステップを実行させるためのプログラム。」
第４　引用文献・引用発明
１．引用文献１について
　原査定の拒絶の理由に引用された上記引用文献１には、図面とともに次の事項が記載されている（下線は当審により注目する点に付与した。以下、同様である。）。
「【技術分野】
　【０００１】
　
本発明は、タッチパネルを有した電子機器に関する。
「【００２７】
　
タッチパネル１５，１７は、タッチパネルドライバ２０２により制御される。タッチパネルドライバ２０２には、接触検出部２０３、操作検出部２０４、及びモード設定部２０５が設けられている。
【００２８】
　
接触検出部２０３は、ユーザの操作によるタッチパネル１５，１７に対する接触を検出して、接触位置の座標データを検出する。接触検出部２０３は、タッチパネル１５，１７に対して同時に複数の位置において接触されている場合に、この複数の位置の座標データを検出することができる。
【００２９】
　
操作検出部２０４は、接触検出部２０３により検出された接触位置のデータをもとに、処理モードを指定する特定の操作を検出する。処理モードとしては、例えばＬＣＤ１４，１６において表示されたオブジェクトに対する移動やコピーなどがある。操作検出部２０４は、接触検出部２０３により接触が検出された位置に、移動やコピーの対象とするオブジェクト（フォルダやアイコン等）が存在し、特定の操作があったことが判定された場合に、同オブジェクトに対する処理の処理モードが指定されたものと判定する。
【００３０】
　
操作検出部２０４には、操作判定部２０４ａ、時間判定部２０４ｂ、接触面積判定部２０４ｃ、移動領域判定部２０４ｄ、圧力判定部２０４ｅが含まれる。
【００３１】
　操作判定部２０４ａは、タッチパネル１５，１７に接触されている第１の位置と第２の位置とを、ＬＣＤ１４，１６に表示されたオブジェクトに対応する位置に移動させ、第１の位置と第２の位置の移動先における距離を特定範囲内に含まれるようにする操作を判定する。例えば、表示されたオブジェクトに対応する位置において、オブジェクトを摘むような操作をすることで、処理モードを指定することができる。」
「【００３３】
　
接触面積判定部２０４ｃは、タッチパネル１５，１７に接触されている位置がＬＣＤ１４，１６に表示されたオブジェクトに対応する位置であり、接触面積を規定値以上とする操作、あるいは接触面積の増加率が規定値以上する操作を判定する。
【００３４】
　移動領域判定部２０４ｄは、タッチパネル１５，１７に対して、ＬＣＤ１４，１６に表示されたオブジェクトに対応する第１の位置が接触され、接触された状態のまま第１の位置を同じタッチパネルの予め設定された特定範囲内の第２の位置に移動させる操作、いわゆるドラッグ操作によりオブジェクトを特定範囲内にまで移動させる操作を判定する。
・・・中略・・・
【００３６】
　
モード設定部２０５は、操作検出部２０４によって検出された操作に応じて処理モードを設定する。例えば、操作検出部２０４によって検出された操作がオブジェクトの移動のための操作である場合には移動モードを設定する。モード設定部２０５は、処理モードが設定された後に検出されるタッチパネル１５，１７に対する操作に応じて、ＯＳ２００（あるいはアプリケーションプログラム２０１）に対して処理モード応じた処理の実行を要求する。
「【００４１】
　
本実施形態におけるパーソナルコンピュータ１０では、次に説明する第１〜第５の方法により処理モード（移動モード）を設定して、フォルダ（ファイル）を移動する処理を実行することができる。
【００４２】
　（１）オブジェクトをつまむ操作により処理モードを設定する方法（第１の方法）。　
　図４は、第１の方法により処理モードを設定する処理を示すフローチャートである。図５は、ＬＣＤ１４に表示されたフォルダを表すアイコンＡの一例を示している。
・・・中略・・・
【００５１】
　
移動モードが設定された後、タッチパネル１５，１７に対する接触が接触検出部２０３により検出されると（ステップＡ５、Ｙｅｓ）、ＯＳ２００は、接触検出部２０３により検出された位置に、移動モードが設定されたアイコンＡの表示位置を移動させる処理を実行する（ステップＡ６）。例えば、アイコンＡに対して移動モードが設定された後、タッチパネル１７に対して指が接触されると、タッチパネル１７の接触位置に対応するＬＣＤ１６の表示位置にアイコンＡを移動させる。
「【００６４】
　（３）オブジェクトを選択する操作によるタッチパネルへの接触面積に基づいて処理モードを設定する方法（第３の方法）。　
　図１２は、第３の方法により処理モードを設定する処理を示すフローチャートである。
【００６５】
　
ユーザは、例えばＬＣＤ１４に表示されたアイコンの位置に合わせて、タッチパネル１５に接触したものとする。接触検出部２０３は、タッチパネル１５に対する接触を検出する（ステップＣ１、Ｙｅｓ）。
【００６６】
　
接触面積判定部２０４ｃは、接触検出部２０３により検出された位置にオブジェクトが存在するかをＯＳ２００に問い合わせる。ここで、オブジェクトが存在していることがＯＳ２００により通知されると、接触面積判定部２０４ｃは、例えば一定時間毎（例えば０．５秒毎）にタッチパネル１５に接触されている面積を検出する（ステップＣ２）。
【００６７】
　
接触面積判定部２０４ｃは、ここで検出された接触面積を記録しておく（ステップＣ３）。そして、接触面積判定部２０４ｃは、今回検出された接触面積と、前回の検出により記録された接触面積（初期値は０）とを比較して、接触面積の増加率を算出する（ステップＣ４）。
【００６８】
　増加率が予め決められた規定値以上でない場合（ステップＣ５、Ｎｏ）、接触面積判定部２０４ｃは、接触検出部２０３によりタッチパネル１５への接触が検出されていれば（ステップＣ６、Ｙｅｓ）、前述と同様にして、一定時間毎に接触面積の検出と増加率の算出を繰り返して実行する（ステップＣ２〜Ｃ６）。
【００６９】
　例えば、ＬＣＤ１４に表示されたアイコンを選択するために指先によってタッチパネル１５に接触した場合、図１３（Ａ）に示すように、接触面積Ａは狭くなる。その後、指の腹をタッチパネル１５に押しつけることにより、図１３（Ｂ）に示すように、接触面積Ｂは広くなる。
【００７０】
　
モード設定部２０５は、接触面積判定部２０４ｃによって、タッチパネル１５に対する接触面積の増加率が規定値以上となったことが判別されると、接触位置に対応するオブジェクト（アイコン）に対する移動モードを設定する（ステップＣ７）。
【００７１】
　ＯＳ２００は、モード設定部２０５により移動モードが設定されたことをユーザが認識できるように、ＬＣＤ１４に表示されたオブジェクト（アイコン）の表示形態（例えば、表示色）を変更する。
【００７２】
　
以下、移動モードが設定された後の処理（ステップＣ７〜Ｃ９）については、第１の方法において説明したステップＡ４〜Ａ６と同様の処理を実行するものとして詳細な説明を省略する。
【００７３】
　このようにして、第３の方法では、処理対象とするオブジェクト（アイコン等）に対して、最初の接触時の面積より広い面積で接触するように接触状態を変化させるだけで移動モードを設定することができる。以下、第１の方法と同様の操作性を提供することが可能である。
【００７４】
　
なお、前述した説明では、タッチパネル１５に対する接触面積の増加率が規定値以上である場合に移動モードを設定しているが、単純に、タッチパネル１５に対する接触面積が規定値以上である場合に、移動モードを設定するようにしても良い。
「【００９５】
　なお、前述した第１〜第５の方法は、
アイコンに対して移動モードを設定するための方法として説明しているが、第１〜第５の方法のそれぞれに対応して、異なる処理モードが設定されるようにしても良い。例えば、第１の方法による操作がされた場合には移動モードを設定し、第２の方法による操作がされた場合にはコピーモードを設定する。他の方法に対しても、別の処理モードが設定されるようにする。
　以上の記載（特に下線部）によれば、引用文献１には、以下の発明（以下、「引用発明」という。）が記載されているといえる。
［引用発明］
「接触検出部２０３、操作検出部２０４、及びモード設定部２０５が設けられているタッチパネルを有したパーソナルコンピュータ１０であって、
接触検出部２０３は、ユーザの操作によるタッチパネル１５，１７に対する接触を検出して、接触位置の座標データを検出し、タッチパネル１５，１７に対して同時に複数の位置において接触されている場合に、この複数の位置の座標データを検出することができ、
　操作検出部２０４は、操作判定部２０４ａ、時間判定部２０４ｂ、接触面積判定部２０４ｃ、移動領域判定部２０４ｄ、圧力判定部２０４ｅが含まれ、接触検出部２０３により検出された接触位置のデータをもとに、処理モードを指定する特定の操作を検出し、処理モードとしては、例えばＬＣＤ１４，１６において表示されたオブジェクトに対する移動やコピーなどがあり、接触検出部２０３により接触が検出された位置に、移動やコピーの対象とするオブジェクト（フォルダやアイコン等）が存在し、特定の操作があったことが判定された場合に、同オブジェクトに対する処理の処理モードが指定されたものと判定するものであり、
　接触面積判定部２０４ｃは、タッチパネル１５，１７に接触されている位置がＬＣＤ１４，１６に表示されたオブジェクトに対応する位置であり、接触面積を規定値以上とする操作、あるいは接触面積の増加率が規定値以上する操作を判定するものであり、
　ユーザは、ＬＣＤ１４に表示されたアイコンの位置に合わせて、タッチパネル１５に接触したものとすると、接触検出部２０３は、タッチパネル１５に対する接触を検出し、接触面積判定部２０４ｃは、接触検出部２０３により検出された位置にオブジェクトが存在するかをＯＳ２００に問い合わせ、オブジェクトが存在していることがＯＳ２００により通知されると、接触面積判定部２０４ｃは、例えば一定時間毎（例えば０．５秒毎）にタッチパネル１５に接触されている面積を検出し、　接触面積判定部２０４ｃは、検出された接触面積を記録し、今回検出された接触面積と、前回の検出により記録された接触面積（初期値は０）とを比較して、接触面積の増加率を算出し、モード設定部２０５は、接触面積判定部２０４ｃによって、タッチパネル１５に対する接触面積の増加率が規定値以上となったことが判別されると、接触位置に対応するオブジェクト（アイコン）に対する移動モードを設定し、
　移動モードが設定された後、タッチパネル１５，１７に対する接触が接触検出部２０３により検出されると、ＯＳ２００は、接触検出部２０３により検出された位置に、移動モードが設定されたオブジェクト（アイコン）の表示位置を移動させる処理を実行し、
　タッチパネル１５に対する接触面積の増加率が規定値以上である場合に移動モードを設定するのではなく、単純に、タッチパネル１５に対する接触面積が規定値以上である場合に、移動モードを設定するようにしても良く、移動モードを設定するのではなく、コピーモードを設定するようにしても良い、パーソナルコンピュータ１０。」
２．引用文献２について
　また、原査定の拒絶理由に引用された上記引用文献２には、図面とともに次の事項が記載されている。
「【００３０】
　図６は、図５のステップＳ５０７における２本の指での操作に関する詳細な処理手順の一例を示すフローチャートである。
　まず、ステップＳ６０１において、
タッチ状態検出部１１３は、検出している２本の指のタッチが、同一の動画オブジェクトをタッチしているものであるか否かを判定する。
この判定の結果、同一の動画オブジェクトをタッチしている場合はステップＳ６０２へ進み、
【００３１】
　ステップＳ６０２においては、
タッチ状態検出部１１３は、検出している２本の指のタッチが解除されることなく、タッチ位置の移動があったか否かを判定する。この判定の結果、タッチ位置の移動があった場合はステップＳ６０３へ進み、
・・・中略・・・
【００３４】
　次に、
ステップＳ６０５において、タッチ状態検出部１１３による検出に基づいて全体制御部１１４は、２本の指によりタッチされている移動後の２つの位置の縦方向の距離が、閾値Ｂ以上となったか否かを判定する。この判定の結果、閾値Ｂ以上となった場合はステップＳ６０６へ進み、
【００３５】
　
ステップＳ６０６においては、２本の指でタッチしている動画オブジェクトが示す実際の動画データをコピーする。
「【００５４】
（コピーの例）
　次に、実際のコピーの方法について説明する。図８は、図３のインデックス表示されたオブジェクトの中からコピーの対象として１つの動画オブジェクトが選択され、図６のステップＳ６０６においてコピーする手順の一例を示す図である。
図８（ａ）においては、１つのサムネールで表現された動画コンテンツ８０３が親指８０１及び人差し指８０２の２つの指でタッチされ、さらに２本の指の間隔が広がっていく動作を示している。その結果、コピーされた動画オブジェクトのサムネール８０４が表示される。なお、この時点で指が離れた場合は動画データがコピーされないものとし、親指８０１と人差し指８０２との距離が前述した閾値Ｂを超えた状態で指が離れることによりサムネール８０５が分離し、動画データがコピーされる。
　以上の記載（特に下線部）によれば、引用文献２には、以下の技術的事項（以下、「引用文献２記載の技術的事項」という。）が記載されているといえる。
「２本の指のタッチが、同一の動画オブジェクトをタッチしている場合に、２本の指のタッチが解除されることなく、タッチ位置の移動があった場合は、２本の指によりタッチされている移動後の２つの位置の距離が閾値Ｂを超えた状態で指が離れることにより２本の指でタッチしている動画オブジェクトが示す実際の動画データをコピーする。」
第５　対比・判断
１．本願発明１について
（１）対比
　本願発明１と引用発明とを対比する。
ア　引用発明の「ＬＣＤ１４，１６において表示されたオブジェクト」、「移動やコピーの対象とするオブジェクト（フォルダやアイコン等）」は、本願発明１の「表示部に表示されたファイルを示すオブジェクト」に相当し、引用発明は「接触検出部２０３により検出された位置に、移動モードが設定されたオブジェクト（アイコン）の表示位置を移動させる処理を実行する」から、引用発明の「パーソナルコンピュータ１０」は、後述する相違点を除き、本願発明１の「表示部に表示されたファイルを示すオブジェクトに対し、タッチ操作をすることによりその操作が示す処理を行う情報処理装置」に相当する。
イ　引用発明の「接触検出部２０３」は、「ユーザの操作によるタッチパネル１５，１７に対する接触を検出して、接触位置の座標データを検出し、タッチパネル１５，１７に対して同時に複数の位置において接触されている場合に、この複数の位置の座標データを検出する」から、本願発明１の「タッチした部分の位置を検出するタッチ検出部」に相当する。
ウ　引用発明の「接触面積判定部２０４ｃ」は、「一定時間毎（例えば０．５秒毎）にタッチパネル１５に接触されている面積を検出」しているから、本願発明１の「前記タッチ検出部の検出結果からタッチ面積を算出するタッチ面積算出部」に相当するといえる。
エ　引用発明の「モード設定部２０５」は、「接触面積判定部２０４ｃによって、タッチパネル１５に対する接触面積の増加率が規定値以上となったことが判別されると、接触位置に対応するオブジェクト（アイコン）に対する移動モードを設定」するものであって、「タッチパネル１５に対する接触面積が規定値以上である場合に、移動モードを設定するようにしても良く、移動モードを設定するのではなく、コピーモードを設定するようにしても良い」ものであるから、本願発明１の「前記オブジェクト上において、前記タッチ面積が所定面積以上の第１のタッチと、所定面積未満の第２のタッチとを検出した場合に、コピー操作として判定する操作判定部」と、「前記オブジェクト上において、タッチ面積が所定面積以上のタッチを検出した場合に、コピー操作として判定する操作判定部」である点では共通するといえる。
オ　引用発明の「接触検出部２０３」は、「移動モードが設定された後、タッチパネル１５，１７に対する接触」を検出するものであり、「検出された位置に、移動モードが設定されたオブジェクト（アイコン）の表示位置を移動させる処理」が実行され、また、「移動モードを設定するのではなく、コピーモードを設定するようにしても良い」ものであるから、引用発明の「接触検出部２０３」は、本願発明１の「前記操作判定部により前記コピー操作と判定されたとき、前記オブジェクト上において検出されたタッチのうち、第１のタッチ又は第２のタッチがオブジェクトの外に移動してタッチアップしたことを検出する検出部」と、「前記操作判定部により前記コピー操作と判定されたとき、オブジェクトの外においてタッチを検出する検出部」である点では共通するといえる。
カ　引用発明の「ＯＳ２００」は、「接触検出部２０３により検出された位置に、移動モードが設定されたオブジェクト（アイコン）の表示位置を移動させる処理を実行」しており、「移動モードを設定するのではなく、コピーモードを設定するようにしても良い」ものであるから、本願発明１の「前記検出部により、タッチアップを検出した場合には、前記タッチアップした位置に前記オブジェクトをコピーして表示する処理を実行する操作処理実行部」と、「前記検出部により、タッチを検出した場合には、前記タッチした位置に前記オブジェクトをコピーして表示する処理を実行する操作処理実行部」である点では共通するといえる。
　
　したがって、本願発明１と引用発明との間には、以下の一致点及び相違点があるといえる。
（一致点）
「表示部に表示されたファイルを示すオブジェクトに対し、タッチ操作をすることによりその操作が示す処理を行う情報処理装置であって、
　タッチした部分の位置を検出するタッチ検出部と、
　前記タッチ検出部の検出結果からタッチ面積を算出するタッチ面積算出部と、
　前記オブジェクト上において、タッチ面積が所定面積以上のタッチを検出した場合に、コピー操作として判定する操作判定部と、
　前記操作判定部により前記コピー操作と判定されたとき、オブジェクトの外においてタッチを検出する検出部と、
　前記検出部により、タッチを検出した場合には、前記タッチした位置に前記オブジェクトをコピーして表示する処理を実行する操作処理実行部と、
　を備えることを特徴とする情報処理装置。」
（相違点１）
　「操作判定部」は、本願発明１では、「前記オブジェクト上において、前記タッチ面積が所定面積以上の第１のタッチと、所定面積未満の第２のタッチとを検出した場合に、コピー操作として判定」するものであるのに対し、引用発明では、タッチパネル１５に対する接触面積が規定値以上である場合に、コピーモードを設定するものであり、上記のような構成ではない点。
（相違点２〉
　「検出部」、「操作処理実行部」は、本願発明１では、「前記操作判定部により前記コピー操作と判定されたとき、前記オブジェクト上において検出されたタッチのうち、第１のタッチ又は第２のタッチがオブジェクトの外に移動してタッチアップしたことを検出する」ものであり、「前記検出部により、タッチアップを検出した場合には、前記タッチアップした位置に前記オブジェクトをコピーして表示する処理を実行する」ものであるのに対し、引用発明では、コピーモードが設定された後、タッチパネルに対する接触を検出し、検出された位置に、コピーモードが設定されたオブジェクト（アイコン）をコピーする処理を実行しており、上記のような構成でない点。
（２）判断
　上記相違点１、２について併せて検討する。
　引用文献２には、「２本の指のタッチが、同一の動画オブジェクトをタッチしている場合に、２本の指のタッチが解除されることなく、タッチ位置の移動があった場合は、２本の指によりタッチされている移動後の２つの位置の距離が閾値Ｂを超えた状態で指が離れることにより２本の指でタッチしている動画オブジェクトが示す実際の動画データをコピーする」という技術的事項が記載されているが、上記相違点１、２に係る本願発明１の構成は記載されておらず、示唆されてもいない。
　また、上記相違点１、２に係る本願発明１の構成が、本願出願日前に周知技術であったとはいえない。
（なお、前置報告書において引用された引用文献（特開２００９−２９４８５７号公報）には、オブジェクト４０４を、２本の指４０２と別の１本の指４０３で選択し、ユーザは２本の指４０２によってオブジェクト４０４を選択した状態を保持したまま、別の１本の指４０３でドラッグを行い、ドラッグしていた別の１本の指４０３をマルチタッチスクリーン２０６から離し、１本の指４０３が離された位置にオブジェクト４０４のコピー４０５が配置されることが記載されているが、維持された指示位置の数（２本の指）と移動した指示位置の数（別の１本の指）とに基づいて、実行すべき処理を決定するものであって、上記相違点１、２に係る本願発明１の構成は記載されておらず、示唆されてもいない。）
　したがって、本願発明１は、当業者であっても、引用発明に基づいて容易に発明をすることができたとはいえない。
２．本願発明２−４について
　本願発明２−４は、本願発明１の請求項１を引用するものであって、上記相違点１、２に係る本願発明１の構成と同じ構成を備えるものであるから、本願発明１と同様の理由により、当業者であっても、引用発明に基づいて容易に発明をすることができたとはいえない。
３．本願発明５、６について
　本願発明５、６は、上記相違点１、２に係る本願発明１の構成と同様の構成を備えるものであるから、本願発明１と同様の理由により、当業者であっても、引用発明に基づいて容易に発明をすることができたとはいえない。
第６　むすび
　以上のとおり、原査定の理由によっては、本願を拒絶することはできない。
　また、他に本願を拒絶すべき理由を発見しない。
　よって、結論のとおり審決する。